【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
ディスプレイによって生成されたライトフィールド内の不完全度を測定するための光学計測システムであって、前記光学計測システムは、
意図される焦点位置を有する仮想オブジェクトを備える標的ライトフィールドを投影させるように構成されるディスプレイと、
前記標的ライトフィールドの画像を得るように構成されるカメラと、
ハードウェアプロセッサであって、前記ハードウェアプロセッサは、
前記ライトフィールドの一部に対応する１つまたはそれを上回る画像にアクセスすることと、
ディスプレイ／カメラピクセルマッピングを適用し、前記ディスプレイのピクセル値を前記カメラのピクセル値に変換することであって、前記ディスプレイ／カメラピクセルマッピングは、
前記ディスプレイの色レベルを第１の中間色表現にマッピングする第１のガンマ補正と、
前記第１の中間色表現を第２の中間色表現にマッピングするピクセル依存結合関数と、
前記第２の中間色表現を前記カメラによって位置合わせされた色レベルにマッピングする第２のガンマ補正と
を備える、ことと、
前記１つまたはそれを上回る画像を分析し、前記仮想オブジェクトが合焦する位置に対応する測定された焦点位置を識別することと、
少なくとも部分的に、前記測定された焦点位置と前記意図される焦点位置の比較に基づいて、前記ライトフィールド内の不完全度を判定することと
を行うように実行可能命令を用いてプログラムされる、ハードウェアプロセッサと
を備える、光学計測システム。
【請求項２】
前記ディスプレイは、導波管のスタックを備え、前記導波管のスタックは、光を出力し、前記仮想オブジェクトを少なくとも１つの深度平面に投影させるように構成される、請求項１に記載の光学計測システム。
【請求項３】
前記カメラは、小焦点深度を有する、デジタルカメラを備える、請求項１に記載の光学計測システム。
【請求項４】
前記カメラは、焦点を有し、前記システムは、ある範囲の焦点にわたって前記カメラの焦点を掃引し、前記１つまたはそれを上回る画像を得るように構成される、請求項３に記載の光学計測システム。
【請求項５】
前記カメラは、ライトフィールドカメラを備える、請求項１に記載の光学計測システム。
【請求項６】
前記仮想オブジェクトは、格子縞パターン、幾何学的パターン、または確率的パターンを備える、請求項１に記載の光学計測システム。
【請求項７】
前記ディスプレイは、複数のピクセルを備え、前記標的ライトフィールドは、照明されている前記複数のピクセルの全て未満のサブセットに対応する、請求項１に記載の光学計測システム。
【請求項８】
前記測定された焦点位置は、焦点深度を含む、請求項１に記載の光学計測システム。
【請求項９】
前記測定された焦点位置はさらに、側方焦点位置を含む、請求項８に記載の光学計測システム。
【請求項１０】
前記判定された不完全度は、少なくとも部分的に、前記意図される焦点位置と前記測定された焦点位置との間の誤差ベクトルに基づく、請求項１に記載の光学計測システム。
【請求項１１】
前記ハードウェアプロセッサはさらに、少なくとも部分的に、前記判定された不完全度に基づいて、前記ディスプレイに関する誤差補正を判定するようにプログラムされる、請求項１に記載の光学計測システム。
【請求項１２】
前記判定された不完全度は、空間不完全度を備える、請求項１−１１のいずれか１項に
記載の光学計測システム。
【請求項１３】
前記空間不完全度は、面内平行移動、回転、スケーリング、またはワーピング誤差、または面外または焦点深度誤差のうちの１つまたはそれを上回るものを備える、請求項１２に記載の光学計測システム。
【請求項１４】
前記判定された不完全度は、色彩不完全度を備える、請求項１−１１のいずれか１項に
記載の光学計測システム。
【請求項１５】
前記色彩不完全度は、前記ディスプレイによって表示可能な色と関連付けられた輝度平坦性または色彩均一性誤差のうちの１つまたはそれを上回るものを備える、請求項１４に記載の光学計測システム。
【請求項１６】
ディスプレイ上で画像補正を行うための光学計測システムであって、前記システムは、
ディスプレイによって投影されたライトフィールドの画像を捕捉するように構成される、カメラであって、前記ライトフィールドは、前記ディスプレイのディスプレイ層と関連付けられる、カメラと、
ハードウェアプロセッサであって、前記ハードウェアプロセッサは、
少なくとも部分的に、前記カメラによって捕捉された画像に基づいて、ベクトル場を生成することであって、前記ベクトル場は、投影された位置と前記ディスプレイ層の点の予期される位置との間の逸脱に対応するベクトルを備える、ことと、
少なくとも部分的に、前記ベクトル場に基づいて、前記ディスプレイのために、偏芯補正、集合回転補正、集合スケーリング補正、または空間マッピングのうちの少なくとも１つを計算することと、
少なくとも部分的に、前記カメラによって捕捉された画像に基づいて、前記ディスプレイ層上の複数の点に対応する輝度値を計算することと、
少なくとも部分的に、前記判定された輝度値に基づいて、前記ディスプレイのために、輝度平坦化補正または色彩平衡補正を計算することと
を行うように実行可能命令を用いてプログラムされる、ハードウェアプロセッサと
を備える、光学計測システム。
【請求項１７】
前記ディスプレイのディスプレイ層は、色層または深度層を備える、請求項１６に記載の光学計測システム。
【請求項１８】
前記カメラは、小焦点深度を有する、ライトフィールドカメラまたはデジタルカメラを備える、請求項１６に記載の光学計測システム。
【請求項１９】
前記偏芯補正を計算するために、前記ハードウェアプロセッサは、前記投影されたディスプレイ層の識別された中心点と予期される中心点位置との間の平行移動誤差に対応する平行移動ベクトルを判定するようにプログラムされる、請求項１６に記載の光学計測システム。
【請求項２０】
前記集合回転補正を計算するために、前記ハードウェアプロセッサは、前記投影された位置と前記予期される位置との間のピクセル誤差量が低減または最小限にされるように、中心点を中心とした前記投影されたディスプレイ層の回転に対応する回転量を判定するようにプログラムされる、請求項１６に記載の光学計測システム。
【請求項２１】
前記集合回転補正を計算するために、前記ハードウェアプロセッサは、前記ベクトル場のカールを計算するようにプログラムされる、請求項１６に記載の光学計測システム。
【請求項２２】
前記集合スケーリング補正を計算するために、前記ハードウェアプロセッサは、前記投影された位置と前記予期される位置との間のピクセル誤差量が低減または最小限にされるように、中心点を中心とした前記投影されたディスプレイ層のスケーリングに対応するスケーリング量を判定するようにプログラムされる、請求項１６に記載の光学計測システム。
【請求項２３】
前記集合スケーリング補正を計算するために、前記ハードウェアプロセッサは、前記ベクトル場の発散を計算するようにプログラムされる、請求項１６に記載の光学計測システム。
【請求項２４】
前記空間マッピングを計算するために、前記ハードウェアプロセッサは、前記ディスプレイ層の投影された位置と前記予期される位置とを整合させるための非線形変換を判定するようにプログラムされる、請求項１６に記載の光学計測システム。
【請求項２５】
前記輝度平坦化補正を計算するために、前記ハードウェアプロセッサは、
閾値輝度値を判定することと、
前記閾値輝度値を上回る各輝度値を前記閾値輝度値まで低下させる量を計算することと
を行うようにプログラムされる、請求項１６に記載の光学計測システム。
【請求項２６】
前記色彩平衡補正を計算するために、前記ハードウェアプロセッサは、
前記ディスプレイ層と関連付けられた色クラスタを識別することであって、前記色クラスタは、少なくとも１つの付加的ディスプレイ層を含むことと、
前記ディスプレイ層の点毎に、前記ディスプレイ層上の点に対応する輝度値と前記付加的ディスプレイ層上の点に対応する輝度値を比較することと、
各輝度値をその対応する点と関連付けられた最低輝度値まで低下させる量を計算することと
を行うようにプログラムされる、請求項１６に記載の光学計測システム。
【手続補正２】
【補正対象書類名】明細書
【補正対象項目名】０００５
【補正方法】変更
【補正の内容】
【０００５】
本明細書に説明される主題の１つまたはそれを上回る実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本願明細書は、例えば、以下の項目も提供する。
（項目１）
ディスプレイによって生成されたライトフィールド内の不完全度を測定するための光学計測システムであって、
意図される焦点位置を有する仮想オブジェクトを備える標的ライトフィールドを投影させるように構成されるディスプレイと、
前記標的ライトフィールドの画像を得るように構成されるカメラと、
ハードウェアプロセッサであって、前記ハードウェアプロセッサは、
前記ライトフィールドの一部に対応する１つまたはそれを上回る画像にアクセスすることと、
前記１つまたはそれを上回る画像を分析し、前記仮想オブジェクトが合焦する位置に対応する測定された焦点位置を識別することと、
少なくとも部分的に、前記測定された焦点位置と前記意図される焦点位置の比較に基づいて、前記ライトフィールド内の不完全度を判定することと
を行うように実行可能命令を用いてプログラムされる、ハードウェアプロセッサと
を備える、光学計測システム。
（項目２）
前記ディスプレイは、導波管のスタックを備え、前記導波管のスタックは、光を出力し、前記仮想オブジェクトを少なくとも１つの深度平面に投影させるように構成される、項目１に記載の光学計測システム。
（項目３）
前記カメラは、小焦点深度を有する、デジタルカメラを備える、項目１に記載の光学計測システム。
（項目４）
前記カメラは、焦点を有し、前記システムは、ある範囲の焦点にわたって前記カメラの焦点を掃引し、前記１つまたはそれを上回る画像を得るように構成される、項目３に記載の光学計測システム。
（項目５）
前記カメラは、ライトフィールドカメラを備える、項目１に記載の光学計測システム。
（項目６）
前記仮想オブジェクトは、格子縞パターン、幾何学的パターン、または確率的パターンを備える、項目１に記載の光学計測システム。
（項目７）
前記ディスプレイは、複数のピクセルを備え、前記標的ライトフィールドは、照明されている前記複数のピクセルの全て未満のサブセットに対応する、項目１に記載の光学計測システム。
（項目８）
前記測定された焦点位置は、焦点深度を含む、項目１に記載の光学計測システム。
（項目９）
前記測定された焦点位置はさらに、側方焦点位置を含む、項目８に記載の光学計測システム。
（項目１０）
前記判定された不完全度は、少なくとも部分的に、前記意図される焦点位置と前記測定された焦点位置との間の誤差ベクトルに基づく、項目１に記載の光学計測システム。
（項目１１）
前記ハードウェアプロセッサはさらに、少なくとも部分的に、前記判定された不完全度に基づいて、前記ディスプレイに関する誤差補正を判定するようにプログラムされる、項目１に記載の光学計測システム。
（項目１２）
前記ハードウェアプロセッサはさらに、ディスプレイ／カメラピクセルマッピングを適用し、前記ディスプレイのピクセル値を前記カメラのピクセル値に変換するようにプログラムされる、項目１に記載の光学計測システム。
（項目１３）
前記ディスプレイ／カメラピクセルマッピングは、
前記ディスプレイの色レベルを第１の中間色表現にマッピングする第１のガンマ補正と、
前記第１の中間色表現を第２の中間色表現にマッピングするピクセル依存結合関数と、
前記第２の中間色表現を前記カメラによって位置合わせされた色レベルにマッピングする第２のガンマ補正と
を備える、項目１２に記載の光学計測システム。
（項目１４）
前記判定された不完全度は、空間不完全度を備える、項目１-１３のいずれか１項に
記載の光学計測システム。
（項目１５）
前記空間不完全度は、面内平行移動、回転、スケーリング、またはワーピング誤差、または面外または焦点深度誤差のうちの１つまたはそれを上回るものを備える、項目１４に記載の光学計測システム。
（項目１６）
前記判定された不完全度は、色彩不完全度を備える、項目１-１３のいずれか１項に
記載の光学計測システム。
（項目１７）
前記色彩不完全度は、前記ディスプレイによって表示可能な色と関連付けられた輝度平坦性または色彩均一性誤差のうちの１つまたはそれを上回るものを備える、項目１６に記載の光学計測システム。
（項目１８）
ディスプレイ上で画像補正を行うための光学計測システムであって、
ディスプレイによって投影されたライトフィールドの画像を捕捉するように構成される、カメラであって、前記ライトフィールドは、前記ディスプレイのディスプレイ層と関連付けられる、カメラと、
ハードウェアプロセッサであって、
少なくとも部分的に、前記カメラによって捕捉された画像に基づいて、ベクトル場を生成することであって、前記ベクトル場は、投影された位置と前記ディスプレイ層の点の予期される位置との間の逸脱に対応するベクトルを備える、ことと、
少なくとも部分的に、前記ベクトル場に基づいて、前記ディスプレイのために、偏芯補正、集合回転補正、集合スケーリング補正、または空間マッピングのうちの少なくとも１つを計算することと、
少なくとも部分的に、前記カメラによって捕捉された画像に基づいて、前記ディスプレイ層上の複数の点に対応する輝度値を計算することと、
少なくとも部分的に、前記判定された輝度値に基づいて、前記ディスプレイのために、輝度平坦化補正または色彩平衡補正を計算することと
を行うように実行可能命令を用いてプログラムされる、ハードウェアプロセッサと
を備える、システム。
（項目１９）
前記ディスプレイのディスプレイ層は、色層または深度層を備える、項目１８に記載の光学計測システム。
（項目２０）
前記カメラは、小焦点深度を有する、ライトフィールドカメラまたはデジタルカメラを備える、項目１８に記載の光学計測システム。
（項目２１）
前記偏芯補正を計算するために、前記ハードウェアプロセッサは、前記投影されたディスプレイ層の識別された中心点と予期される中心点位置との間の平行移動誤差に対応する平行移動ベクトルを判定するようにプログラムされる、項目１８に記載の光学計測システム。
（項目２２）
前記集合回転補正を計算するために、前記ハードウェアプロセッサは、前記投影された位置と前記予期される位置との間のピクセル誤差量が低減または最小限にされるように、中心点を中心とした前記投影されたディスプレイ層の回転に対応する回転量を判定するようにプログラムされる、項目１８に記載の光学計測システム。
（項目２３）
前記集合回転補正を計算するために、前記ハードウェアプロセッサは、前記ベクトル場のカールを計算するようにプログラムされる、項目１８に記載の光学計測システム。
（項目２４）
前記集合スケーリング補正を計算するために、前記ハードウェアプロセッサは、前記投影された位置と前記予期される位置との間のピクセル誤差量が低減または最小限にされるように、中心点を中心とした前記投影されたディスプレイ層のスケーリングに対応するスケーリング量を判定するようにプログラムされる、項目１８に記載の光学計測システム。
（項目２５）
前記集合スケーリング補正を計算するために、前記ハードウェアプロセッサは、前記ベクトル場の発散を計算するようにプログラムされる、項目１８に記載の光学計測システム。
（項目２６）
前記空間マッピングを計算するために、前記ハードウェアプロセッサは、前記ディスプレイ層の投影された位置と前記予期される位置とを整合させるための非線形変換を判定するようにプログラムされる、項目１８に記載の光学計測システム。
（項目２７）
前記輝度平坦化補正を計算するために、前記ハードウェアプロセッサは、
閾値輝度値を判定することと、
前記閾値輝度値を上回る各輝度値を前記閾値輝度値まで低下させる量を計算することと
を行うようにプログラムされる、項目１８に記載の光学計測システム。
（項目２８）
前記色彩平衡補正を計算するために、前記ハードウェアプロセッサは、
前記ディスプレイ層と関連付けられた色クラスタを識別することであって、前記色クラスタは、少なくとも１つの付加的ディスプレイ層を含むことと、
前記ディスプレイ層の点毎に、前記ディスプレイ層上の点に対応する輝度値と前記付加的ディスプレイ層上の点に対応する輝度値を比較することと、
各輝度値をその対応する点と関連付けられた最低輝度値まで低下させる量を計算することと
を行うようにプログラムされる、項目１８に記載の光学計測システム。